(57)【要約】  チャネル割当て階層化（ＣＨＡＴ）のためのチャネル割当てのための方法及び装置に関するものであり、無線リソースがハードウェアリソースから分離され、セル内の利用可能なハードウェアリソースユニットは論理グループである”チャネル階層”に分割されている。各々の階層は、同時に同一の無線リソースの一部あるいは全部を利用する。第１階層そして少なくとも第２階層が存在する。本発明によれば、端末は、１００％付近であるが１００％未満の無線リソース負荷閾値に達するまで第１階層に割り当てられる。端末は、端末の干渉抑圧能力、端末に利用されているサービスの無線要求条件、端末電波的位置、又は、それらの組み合わせに基づく少なくとも第２階層のチャネルに割当てられる。
2008539650.tif 000002
【特許請求の範囲】
【請求項１】
セルラ移動通信システムのセル内の端末にチャネルを割り当てる方法であって、
該方法はチャネル割当階層化（ＣＨＡＴ）方式を使用し、該チャネル割当階層化（ＣＨＡＴ）方式によれば、
利用可能なハードウェアリソースユニット（１、２）の数（ＮＴ）は、無線リソース（３）の数（ｆ）より多く、
前記利用可能なハードウェアリソースユニットは、第１階層（１３）と、該第１階層より上の少なくとも１つの第２階層（１４、１８）とを含む、２つ以上の階層（１３、１４、１８）に分割され、
前記第２階層のハードウェアリソースユニットは、前記第１階層のハードウェアリソースユニットのいくつかあるいは全部と無線リソースを共有しており、
端末のいくつかは干渉抑圧能力を有し、
前記方法は、
端末の干渉抑制力の有無、利用しているサービスの無線必要条件、端末の電波的位置、又は、これらいずれかの組み合わせ、に基づいて、前記階層（１３、１４、１８）のチャネルを個々の端末に割り当てることを特徴とする方法。
【請求項２】
ハードウェアリソースユニットの数が無線リソースの数（ｆ）と同じになるように、前記第１階層のハードウェアリソースユニットのセットを無線リソースのセットにマッピングすることを特徴とする請求項１に記載の方法。
【請求項３】
ｆを無線リソースの数としたとき、最後の階層（１８）以外のより高い階層（１４）の各々のハードウェアリソースユニットの数はｆであり、
ＮＴをハードウェアリソースユニットの総数とし、Ｔを階層の数としたとき、最後の階層のハードウェアリソースユニットの数はＮＴ−（Ｔ−１）ｆであることを特徴とする請求項２に記載の方法。
【請求項４】
無線リソース負荷が、１００％未満であるが１００％に近い値の閾値（１５）に到達するまで、第１階層（１３）のチャネルを端末に割り当てる第１割当ステップを含むことを特徴とする請求項３に記載の方法。
【請求項５】
無線リソース負荷が閾値（１５、２０）を超えた場に合、良好な電波的位置の端末を前記より高い少なくとも第２階層（１４、１８）のチャネルに割り当てる第２割当ステップを含むことを特徴とする請求項４に記載の方法。
【請求項６】
各々の階層にオーバーレイ／アンダーレイのサブ・セル（１６、１７、１９）構成の１以上のサブ・セルを割り当てる第３割当ステップを含むことを特徴とする請求項５に記載の方法。
【請求項７】
階層（Ｎ）の無線リソース負荷閾値がＮ×１００％付近（ただし未満）の場合、前記少なくとも第２階層（１４、１８）に対し、前記第１、第２及び第３割当ステップを繰り返すことを特徴とする請求項６に記載の方法。
【請求項８】
端末をより高い階層における良好な電波的位置に保持するため、端末（２４）移動性の結果、又は、他の理由により無線状況が変化した場合、階層間の端末に再割り当てすることを特徴とする請求項１乃至７の何れか一項に記載の方法。
【請求項９】
無線リソース負荷が閾値の下から閾値の上に変化した場合、階層間の端末に再割り当てすることを特徴とする請求項１乃至８の何れか一項に記載の方法。
【請求項１０】
呼のセットアップと関連して、又は、ハンドオーバと関連して、前記再割り当てを実行することを特徴とする請求項９に記載の方法。
【請求項１１】
請求項４乃至１０の何れか一項に記載のステップを繰り返すが、より低い無線必要条件のサービスを利用している端末（２４）を、良好な電波的位置に存在する端末の替わり／あるいは一緒に、前記第２階層に割り当てることを特徴とする請求項３乃至６の何れか一項に記載の方法。
【請求項１２】
良好な電波的位置は、在圏の基地局との電波的若しくは地理的距離、セル境界との電波的若しくは地理的距離、周囲の干渉者との電波的若しくは地理的距離、搬送波対干渉比（Ｃ／Ｉ）若しくはビット誤り率（ＢＥＲ）、ブロック誤り率（ＢＬＥＲ）及びフレーム消去率（ＦＥＲ）あるいは他のリンク品質測定値、あるいはそれらの組み合わせにより定義されることを特徴とする請求項１又は８に記載の方法。
【請求項１３】
請求項４乃至１０の何れか一項に記載の方法のステップを繰り返すが、干渉抑圧能力を有する端末を、良好な電波的位置の端末及び／又はより低い無線必要条件のサービスの替わり／あるいは一緒に、より高い階層（１４、１８）に割り当てることを特徴とする請求項３乃至６の何れか一項に記載の方法。
【請求項１４】
より高い干渉抑圧能力を有する端末（２４）を、より低い干渉抑圧能力を有する端末より、より高い階層に割り当てることを特徴とする請求項１３に記載の方法。
【請求項１５】
他の全階層が高負荷であると見なし、端末を、所与のサービス品質要件に該端末が対応可能な最悪の階層に直接割り当てることを特徴とする請求項１に記載の方法。
【請求項１６】
セルラ移動通信システムのセル内の端末にチャネルを割り当てるシステムであって、端末（２４）のいくつかは干渉抑圧能力を有し、
・該割り当てシステムは、チャネル割当階層化（ＣＨＡＴ）方式を使用しており、利用可能なハードウェアリソースユニット（１、２）の数（ＮＴ）は無線リソース（３）の数（ｆ）を上回り、
・該割り当てシステムは、
・利用可能なハードウェアリソースユニットの数を第１階層（１３）及びより高い少なくとも第２階層（１４、１８）を含む少なくとも２つの階層（１３、１４、１８）に分割するコントローラ（２５）と、
・前記少なくとも第２階層のハードウェアリソースユニットが前記第１階層のハードウェアリソースユニットのいくつかあるいは全部と無線リソースを共有するように階層を複数の無線リソースにマッピングするアルゴリズム（２５Ａ）と、
を備え、
・端末の干渉抑圧能力の有無、対応する端末が利用しているサービスの無線必要条件、端末の電波的位置、又は、これらの組み合わせ、に基づいて前記階層のチャネルを端末に割り当てるアルゴリズム（２６Ａ）を備えることを特徴とするシステム。
【請求項１７】
コントローラ（２５）は、対応する階層（１３、１４）の無線リソース使用率に関する閾値（１５、２０）を設定するのに適合しており、前記閾値は１００％付近（ただし未満）であることを特徴とする請求項１６に記載のシステム。
【請求項１８】
ｆを無線リソースの数としたとき、最後の階層以外の前記より高い階層の各々のハードウェアリソースユニットの数はｆであり、
ＮＴをハードウェアリソースユニットの総数、Ｔを階層の数、ｆを無線リソースの数としたとき、最後の階層のハードウェアリソースユニットの数はＮＴ−（Ｔ−１）ｆであることを特徴とする請求項１６に記載のシステム。
【発明の詳細な説明】
【技術分野】
【０００１】
本発明は、チャネル割当て階層化（ＣＨＡＴ）手法を用いる移動セルラ通信システムにおけるチャネル割当て方法及びチャネル割当てシステムに関するものである。
【０００２】
特に、本発明は、端末の干渉抑圧能力、個々の端末により利用されるサービスの無線要求条件、端末の電波的位置あるいはそれらいくつかの組合せに基づくチャネル割当て方法に関するものである。
【背景技術】
【０００３】
移動無線通信の利用は急速に成長し続けており、新規のデータサービスがますます普及するようになってきている。これらの新規なサービスの多くは、音声トラヒック量が増大し続けている従来の音声サービスよりも無線品質に大きな必要条件を要求する。一般的にネットワークオペレータが利用可能な電波スペクトルには限りがあるため、セルラネットワークのスペクトル効率を増大する技術が必要とされている。さらに、最適なパフォーマンスを達成するために、システムは、サービスの範囲及び様々な無線必要条件及び干渉抑圧能力を有する端末を高効率に管理可能でなければならない。
【０００４】
典型的なセルラネットワーク技術はＧＳＭであり、現時点で他のいかなる種類のシステムよりもトラフィック負荷が大きい。多くの商用ネットワークにおける不均一性は、最大のトラフィックピークは最繁時に特定の領域に起こり得、セルは既にある利用可能な周波数と同じ数だけの送受信機が設置されたハードウェアの負荷の１００％近くを要求する。さらに、付加的なスペクトル効率倍増化を可能にする適応アンテナ製品がすぐに利用できるようになる（非特許文献１）。それ故、セルの中での無線リソースの再利用を含む極端な負荷を取り扱う手段は、ＧＳＭ又は他の技術を用いた将来のネットワークのためだけの問題ではなく、既存のネットワークに比較的すぐ存在するホットスポット領域に対してソリューションが必要とされ得る。
【０００５】
非常に高いスペクトル効率そして極端な負荷を扱うための手段は、チャネル割当て階層化（ＣＨＡＴ）手法（非特許文献２）により提供され得る。ＣＨＡＴにより、セルのハードウェアリソースを無線リソースから分離し、必要に応じて、利用可能な無線リソース（例えば周波数）より多いハードウェアリソースユニット（例えば送受信機）を設置することができる。ＣＨＡＴ構成のピーク負荷時にはセル内の同一チャネル干渉が一般的に存在するが、ＣＨＡＴはこれを管理するためのいくつかのメカニズムを提供する。使用可能なメカニズムの例として、適応狭ビームアンテナ、無線リソース・ホッピングによるセル内干渉ダイバーシティ、及び、高度な干渉抑圧受信器がある。
【０００６】
ＣＨＡＴは、無線リソースの部分的な再利用（すなわち１未満の再利用）を行う。これは、同一セル又はセル・セクター内の異なる端末が同一の無線リソースを同時に使用できることを意味する。
【０００７】
また、ＣＨＡＴは、特許文献１においても開示されており、図１には、単純化され不完全ではあるが、多くのハードウェアリソースユニット１ａ−ｈ、２ａ−ｈ（たとえば送受信機）、多くの無線リソース３ａ−ｈ（たとえば周波数）、及び、リソース１−３が利用可能なセル４が例示されている。
【０００８】
ＣＨＡＴ手法によれば、利用可能なハードウェアリソースユニットは、各々が最大サイズｈ（ｈは整数）の多くの論理グループ（チャネル階層５及び６）に分割される。この最大サイズｈは、各セルに割り当てられた無線リソースの数に等しい。セルは、各々の階層に対応する２つの論理セル７、８を含むと見なすことができる。ＣＨＡＴの部分的な再利用は、無線リソースを異なる階層の異なるチャネルに共有することによって達成される。図示される例においては、利用可能なハードウェアリソースユニットは、２つの階層に分割される。その２つの階層は、同一の無線リソース３ａ−ｈを利用する。たとえば、２つのチャネル（階層５から１つ（１ａ）及び階層６から１つ（２ａ））は、同時に同一の無線リソース３ａを共有する。一般に、全ての階層は、部分的に又は完全に、同一の無線リソースを共有する。しかしながら、共有は、非常に柔軟になされる。チャネルは無線リソースを異なる階層の他のチャネルと共有でき、あるいは、チャネルは他と共有することなく自身に割当てられた無線リソースを使用することもできる。２つのチャネルが同一の無線リソースを共有するときには、衝突が起こりセル内の同一チャネル干渉が発生する。この効果は最小化されるべきである。ＣＨＡＴにおいて、衝突の発生頻度を最小化し衝突により発生する効果を最小化するために、多くの技術が使用される。この種の技術として、２つの階層での異なる無線リソースのホッピング・シーケンス（例えば周波数ホッピング・シーケンス）、受信器の干渉抑圧とともに使用される２つの階層での異なるトレーニング・シーケンス、及び、空間分離を使用する適応アンテナなどのさまざまな干渉回避技術が含まれる。
【０００９】
ＣＨＡＴは、好ましくは、セル内のハードウェアリソースユニットの数より無線リソースの数が少ない場合に使用される。しかしながら、ＣＨＡＴを、無線リソースの数が必要なハードウェアリソースユニットの数を超えるセルで使用しても良い。
【００１０】
ＣＨＡＴ手法の特徴は、チャネル階層が互いに干渉する量が、各々の階層のトラフィック負荷に依存しているということである。したがって、階層間のトラフィックの割当ては、他の階層の干渉レベルに影響を及ぼす。これを説明するために、階層５のトラフィック負荷が高く、階層６においては低いと仮定する。階層５のトラフィック負荷は高いので、階層５の端末の数はトラフィック負荷がより少ない階層６より多い。したがって、階層６の少数の端末による影響を受けるだけである階層５の端末より、階層６のチャネルが割当てられた端末は、階層５の多数の端末からより多くのセル内の同一チャネル干渉を経験する。セル内の同一チャネル干渉は異なる階層間で発生し、同一階層内では発生しない。
【００１１】
特許文献１に係る従来技術のＣＨＡＴシステムのハードウェアリソースユニットは、必要とされるハードウェアリソースユニットの数が同じセル内の無線リソースの数より多い場合に階層に分割される。以下では、この階層構成プロセスが低速ＣＨＡＴ構成と称する。特許文献１に係る異なる階層へのチャネル割当ては、階層の現在の負荷が考慮されなされる。以下で我々が参照する異なる階層へのチャネル割当てを高速チャネル割当てと称する。特許文献１には高速チャネル割当てで使用される手段や方法については書かれていない。
【００１２】
セル又はセル・セクターのユーザ間のセル内干渉の均一な分布を得るための１つの方法として、第２（あるいはそれ以上）の階層が導入されるは常に、ハードウェアリソースユニットを等しいサイズのチャネル階層に分割することがである。しかしながら、これは、セル内の同一チャネル干渉が、必要となる負荷よりも非常に低い（すなわち１００％よりも非常に低い）負荷で発生しうることを意味し、明らかに望ましくない。セルのユーザ間のセル内干渉の均一な分布を得る他の方法は、ランダムにチャネルを割り当てることである。しかしながら、これは、搬送波対干渉比（Ｃ／Ｉ）、ビット誤り率、サービス品質（ＱｏＳ）その他に関してより高い無線条件を必要とするサービスを利用している端末に、より干渉が強いチャネル階層のチャネルが割当てられ得ることを意味する。その結果、端末はより強いセル内の同一チャネル干渉を経験することになる。また、より強く干渉しているチャネル階層のチャネルが、劣悪な電波的位置に位置する端末（例えばセル境界に位置する端末）割当てられ、その結果、端末はより強いセル内の同一チャネル干渉を経験することになることを意味する。さらに、より強く干渉しているチャネル階層のチャネルが、全くあるいはほとんど干渉抑圧能力がない端末に割当てられ、その結果、端末はより強いセル内の同一チャネル干渉を経験することになることを意味する。より強く干渉しているチャネル階層のチャネルが、高い無線必要条件を必要としかつ劣悪な電波的位置に位置する端末に割当てられる場合、又は、上述の状況の組み合わせの状態にある端末に割当てられる場合、セル内の同一チャネル干渉による問題は悪化する。
【００１３】
特許文献２には、セルにおいてより多くの接続を可能にするため、ＣＤＭＡシステムのダウンリンクにおいて多数の符号（コード）セットを利用する方法が記述されている。ユーザ間の干渉を考慮して、異なるユーザに符号が割当てられる。
【非特許文献１】Carsten Ball et al., "Performance Analysis of a GERAN Switched Beam System by Simulations and Measurements", in Proc of VTC'04 Spring.
【非特許文献２】Stephen Craig et al., "Channel Allocation Tiering (CHAT): Taking GSM/EDGE Networks Beyond One-Reuse", in Proc of VTC'01 Spring.
【特許文献１】国際特許出願ＷＯ−Ａ２−０１９７５３７
【特許文献２】米国特許ＵＳ−Ａ−６５４２４８４
【発明の開示】
【発明が解決しようとする課題】
【００１４】
発明の目的の１つは、セル内の同一チャネル干渉が不可欠な場合（すなわち、無線リソース負荷が１００％に非常に近くかつ１００％未満である場合）にのみ導入されることを保証し、導入された場合であってもユーザ及びシステム性能にできるだけ影響しないような、低速ＣＨＡＴ構成及び高速チャネル割当てを組み合わせたＣＨＡＴシステムにおけるチャネル割当て方法を提供することである。
【００１５】
好ましくは、より高いチャネル階層は、トラフィック負荷が高くユーザがシステムへアクセス出来なくなる場合にのみ使用されるべきである。
【００１６】
これにより達成される効果は、ネットワークの干渉レベルが常に最低限に保たれるということであり、それにより、ネットワークの一般的なトラフィック負荷にかかわりなくユーザそしてシステム性能を最大にすることである。
【００１７】
本発明の他の目的は、ＣＨＡＴシナリオの高速チャネル割当てを系統的に、また、端末の個々の必要条件にしたがって制御することである。個々の必要条件は、端末の、ＱｏＳサービス・プロファイル、電波的位置、干渉抑圧能力あるいはそれらの組合せを意味する。
【００１８】
本発明で達成される効果は、高レベルのセル内の同一チャネル干渉に絶えうる端末にのみ、より強く干渉しているチャネル階層のチャネルが割り当てられるということである。
【００１９】
他の効果は、知覚されるサービス性能がセルの全端末で可能な限り広く均一に分布することであり、それにより、システムの収容能力を最大化することである。
【発明を実施するための最良の形態】
【００２０】
本発明は、主にＧＳＭシステムに関して記載されている。ＧＳＭシステムにおいて、最少のハードウェアリソースは送受信機ＴＲＸ上のタイムスロットである。そして、最少の無線リソースは周波数上のタイムスロットである。ＧＳＭにおいては、８個のタイムスロットが各々のＴＤＭＡフレームに存在するので、各々のＴＤＭＡフレーム周期において、所与のＴＲＸ及び所与の周波数に対して多くても８個の論理チャネル（例えばトラフィックチャネルＴＣＨ）の送信及び受信が実行されるだけである。引き続くＴＤＭＡフレームにおいて、同一あるいは異なる周波数を用いた同一あるいは異なるＴＲＸ上の８個の論理チャネルの同一のセットあるいは異なるセットにより通信が行われる。ハードウェアリソースから無線リソースへの論理チャネルの実際のマッピングはタイムスロット毎ＴＤＭＡフレーム毎に変化するが、本発明の原則は同じままである。それゆえ、より明確にするため、以下で本発明は、ＴＤＭＡフレームの単一のタイムスロットの期間のスナップショットとして記述されている。ＴＤＭＡフレームの多数のタイムスロットにおける動的な場合、及び、多数のＴＤＭＡフレームに対する一般化は直接的である。
【００２１】
図２を参照して、本発明の第１の実施形態について説明する。図面において、類似の要素は同一の参照符号を有する。図２は、セルラ移動通信システムのセルにおいて利用可能な、ハードウェアリソースユニット１、２及び無線リソース３を示している。無線リソース３は、周波数ｆ１、ｆ２．．．ｆ１０である。ハードウェアリソースユニット１は、送受信機ＴＲＸ１、ＴＲＸ２．．．ＴＲＸ１０である。ハードウェアリソースユニット２は、送受信機ＴＲＸ１１及びＴＲＸ１２である。更に、それぞれが矢印１０で示すように対応するハードウェアリソースユニット１及び２と関連付けられた複数の論理チャネル９がある。図示した例において、ハードウェアリソースユニット１及び２と同数の論理チャネルＣＨ１、ＣＨ２．．．ＣＨ１２がある。すなわち、ハードウェアリソースは完全に利用されている。矢印１１により示されるように、ハードウェアリソースユニット１の各々は対応する無線リソースにマッピングされる。そして、ハードウェアリソースユニット１と同数の無線リソースがあり、図では１０個である。チャネル割当ては、論理チャネルに対してなされる。
【００２２】
チャネルＣＨ１１及びＣＨ１２の各々は、矢印１２により示されるように無線リソースにマッピングされた対応するハードウェアリソースユニットにマッピングされる。無線リソースへのハードウェアリソースのマッピングは、低速ＣＨＡＴ構成プロセスの一部である。
【００２３】
本発明をよりよく理解するために、セルは１０個の送受信機ＴＲＸ１−１０を備え、セルのトラフィック負荷は時間と共に増加するシナリオを仮定する。全ＴＲＸの全タイムスロットがトラフィックによって占有され、セルがこれ以上のトラフィックを取り扱えない場合に輻輳状態のポイントに達する。明らかに、セルの収容能力を増やす必要があるので、更に２つのＴＲＸ（ＴＲＸ１１及びＴＲＸ１２）がセルに追加される。これらは、部分的な再利用であるＣＨＡＴ構成の任意の周波数ｆ１−１０を使用できる。ＣＨＡＴ構成が導入されるこのポイントでのハードウェアリソースと無線リソースとの間のマッピングの決定は、低速ＣＨＡＴ構成の一部である。
【００２４】
トラフィックは、一日にわたって変化し、トラフィックが存在せず全ハードウェアリソースが利用可能である時点から開始すると仮定する。発信又は着信する第１の端末は、ＴＲＸ１に割り当てられているチャネルＣＨ１を割り当てられる。矢印１１で示されるように、この時点ではＴＲＸ１は周波数ｆ１にマッピングされているため、結果として、端末に対する個々のチャネルの割り当てはその端末に対する個々の無線リソースの割当てになる。発信又は着信する第２の端末は、矢印１１の上から２番目に示されるように、この時点では周波数ｆ２にマッピングされているＴＲＸ２に割り当てられているチャネルＣＨ２を割り当てられる。第２の端末は、このように個々の無線リソースを割り当てられる。この従来の方法に従うチャネル割当ては、トラフィック量が増加するにしたがって進行する。無線リソースの１００％付近（ただし未満）の閾値に達すると、高速チャネル割当てプロセスでのチャネルの割り当てが送受信機ＴＲＸ１１及びＴＲＸ１２を利用して開始される。
【００２５】
８個のタイムスロットを有する完全なＴＤＭＡフレームを考慮する場合、例えば、ＴＲＸ１−９の８個のタイムスロット及びＴＲＸ１０の２個のタイムスロットが占有されＴＲＸ１０の６個のタイムスロットのみが空いている場合に上述の閾値に到達する。
【００２６】
低速ＣＨＡＴ構成は、例えば、基地送受信局（ＢＴＳ）の送受信機の設置と関連して、又は、ＢＴＳのトラフィック負荷がゼロのときに実行される。低速ＣＨＡＴ構成は、ハードウェアリソースユニット１及び２が複数の階層（ここでは２つの階層１３、１４）に分割されることを意味し、第１階層１３はＴＲＸ１、ＴＲＸ２、．．．ＴＲＸ１０を含み、第２階層１４は送受信機ＴＲＸ１１及びＴＲＸ１２を含む。また、低速ＣＨＡＴ構成は、閾値の設定も含んでいる。２つの階層間の閾値及び境界は、破線１５によって例示的に示されている。さらに、低速ＣＨＡＴ構成は、上述した無線リソースのチャネル階層各々への割り当てが含まれている。
【００２７】
低速ＣＨＡＴ構成は、常にネットワークの干渉レベルを最低レベルに維持されている間、輻輳問題を回避するために実行される。
【００２８】
高速チャネル割当て方式は、厳しく制御された方法で需要に応じてチャネルを新規の端末に割り当てる。無線リソースの部分的な再利用のための一般的な概念は、干渉に影響されやすい端末により干渉している階層のチャネルが割当てられている間、より強く干渉しているチャネル階層のチャネルをセル内の同一チャネル干渉により耐えうる端末に割り当てることである。
【００２９】
上述の例に続いて、トラフィック負荷が非常に高く、第１のチャネル階層におけるＴＤＭＡフレーム周期の８０個のタイムスロットのうちの４個だけが空いており、新規の端末が発呼のために基地局制御装置（ＢＳＣ）に呼の要求をしている場合を想定する（図５参照）。呼の要求及び他のソースから、ＢＳＣは、端末の位置、端末の干渉抑圧能力、端末の要求サービスを知ることができる。たとえば、端末は干渉抑圧能力を有せず、あるいは、劣悪な電波的位置に位置し又は要求サービスが高い無線必要条件を必要とし、あるいはこれらの任意の組み合わせである場合、第１のチャネル階層の空いたタイムスロットの１つが割当てられることになる。端末は干渉抑圧能力を有し、あるいは、良好な電波的位置に位置し又は要求サービスが低い無線必要条件を必要とし、あるいはこれらの任意の組み合わせである場合、第２のチャネル階層が割当てられることになる。
【００３０】
この高速チャネル割付てプロセスは、発信あるいは着信する新規の端末の各々に対して繰り返される。
【００３１】
上述の説明から、本発明による高速チャネル割当ては、当該端末の干渉抑圧能力及び／又は所与のサービスの無線必要条件に基づいていることが理解されるべきである。よりロバストな端末及びサービスには、より大きく干渉している階層が優先的に割り当てられる。更に、高速チャネル割当ては、在圏の基地局、セル境界、周囲の干渉者、などに関する端末の”電波的位置”に基づいている。
【００３２】
ハードウェアリソースが使用される場合は、そのハードウェアリソースは使用中とマークされると理解されるべきである。呼が終了するとハードウェアリソースは空きとマークされ、新規の割当てに使用可能となる。
【００３３】
また、端末が割当てられることになる階層は、当該端末及びセル内で現在割り当てられているチャネルでのサービスに依存すると理解されるべきである。階層１３に空いているチャネルがなく階層１４に利用可能な空きチャネルがある場合であり、セル境界の近くに位置する干渉抑圧能力のない端末から呼の要求が到着した場合、この端末は、階層１４の空きチャネルの１つに割り当てられるが、すぐに、上述の高速チャネル割当て方法の原理にしたがって再割当てがなされる。再割当ての結果、再割当ての前、階層１３のチャネルが割当てられていた干渉抑圧能力のある端末には、より干渉した階層１４のチャネルが割り当てられる。このようにして、より干渉が少ない階層１３の使用中のハードウェアリソースを空き状態にする。空き状態になったこれらの階層１３のハードウェアリソースは再割り当ての原因となった端末に割り当てられる。そして、おそらく、例えばトラフィック負荷の予測に従い、再割当ての間、干渉抑圧能力を有する他の端末は、より干渉している階層１４のハードウェアリソースを割り当てられる。端末移動性などによるサービス・セッションの間の状況の変化によっても類似の端末再割り当てが発生する。望ましくは、複数の端末に適合する高速チャネル割当て方法が再割り当てに使用される。トラフィック負荷が閾値以下まで減少するか閾値以下の所定量減少すると、階層１３のチャネルのみが高速チャネル割当て方法により利用され、予め指定されたトラフィック負荷閾値に再び到達するまで、階層１４のチャネルは未使用状態に保持される。
【００３４】
良好な電波的位置（セル中心など）に存在するか、あるいは、低い無線必要条件のサービス（干渉にそれほど影響されないロバストなサービス）を実行しているか、又は、干渉抑圧能力を有するか、あるいはこれらの状況の組み合わせにある端末は、トラフィック負荷が閾値レベルを超えている場合は常に、より強く干渉しているチャネル階層（例えば図２の階層１４）のチャネルを割り当てられる。劣悪な電波的位置（セル境界など）に存在するか、あるいは、高い無線必要条件のサービスを実行しているか、又は、干渉抑圧能力を有さないか、あるいはこれらの状況の組み合わせにある端末は、可能な限り常に、より弱く干渉しているチャネル階層（例えば図２の階層１３）のチャネルを割り当てられる。
【００３５】
良好な電波的位置は、在圏の基地局との電波的若しくは地理的距離、セル境界との電波的若しくは地理的距離、周囲の干渉者との電波的若しくは地理的距離、搬送波対干渉比（Ｃ／Ｉ）若しくはビット誤り率（ＢＥＲ）、ブロック誤り率（ＢＬＥＲ）そしてフレーム消去率（ＦＥＲ）のような他のリンク品質測定値、あるいはそれらの組み合わせにより定義される。
【００３６】
図２で示した実施例をさらに例示する図３を参照すると、より強く干渉している階層１４はオーバレイ（ＯＬ）構成１６を利用し、階層１３はアンダーレイ（ＵＤ）構成１７を利用している。端末の混合が存在し、いくつかは干渉抑圧（ＩＳ）能力がありいくつかは無いと仮定する。
【００３７】
ハードウェアリソースユニット１、２には、ハードウェアリソースの総数がＮＴ個存在し、ｆ個（ここでＮＴ＞ｆ）の無線リソースに割り当てられていると仮定する。階層１４は、主にＩＳ（ＩＳは干渉抑圧の略語）可能な端末のためにあり、ＯＬで動作するＮＩＳ個のハードウェアリソースユニットを備える。階層１３は、ＩＳ可能及びＩＳ不能な双方の端末のためにあり、ＵＬで動作するＮＲＥＭ個ののハードウェアリソースユニットを備える。低いトラフィック負荷では、全ての端末に対し、ＮＲＥＭ個のユニットからのチャネルが割り当てられる。負荷閾値１５を超える負荷では、ＩＳ可能な端末には、優先してＮＩＳ個の階層１４のチャネルが割り当てられる。ＩＳ不能な端末には、可能な限り、ＮＲＥＭ個の階層１３のチャネルが割り当てられるべきである。
【００３８】
階層のサイズは、次のようになるべきである：
ＮＩＳ＝ＮＴ−ｆ  （ＮＲＥＭ＝ｆを意味する）
図示されたＧＳＭの場合においては、輻輳を回避するため、１０個の周波数（ｆ＝１０）と、ブロッキング基準（ＮＴ＝１２）を満足するため、セルあたり１２個の送受信機が設置されなければならない。そのため、ＮＩＳ＝２個の送受信機及びＮＲＥＭ＝１０個の送受信機となる。この場合、ＮＩＳに対するセル内の同一チャネル干渉の確率は、ＮＲＥＭ／ｆ＝１であるため最大でも１００％である。しかしながら、当該階層の全端末はＩＳ可能であり良好な電波的位置に存在するためこの状況は対処可能である。ＮＲＥＭに対するセル内の同一チャネル干渉の確率は、ＮＩＳ／ｆ＝０．２であるため最大でも２０％である。それ故、ＩＳ不能な端末のセル内の同一チャネル干渉の確率は最小化される。
【００３９】
２つの階層は異なるホッピングシーケンスを用いているが周波数ホッピングを使用することを思い出すべきである。階層１３のチャネルは１０個の周波数にマッピングされ、（階層１３の）個々の端末はこれらの周波数のいくつかあるいは全ての間をホッピングする。また、階層１４の個々の端末もその１０個の周波数のいくつかあるいは全ての間をホッピングするが、任意の時点で全１０個の周波数の中で多くとも２個の周波数が階層１４の端末によって使用される。これは、階層１３の端末により平均的に経験される干渉は最大でも時間の確率で１０分の２（２／１０）であり、ＩＳ不能な端末が耐え得るべき確率である。
【００４０】
オーバレイ／アンダーレイのサブ・セル構成を用いて電波的位置の粒度が使用可能になることは理解されるべきである。端末がたとえばサブセル１６に存在する場合、端末は基地局の近くにあり、システムはこの端末に対する通信最適化のためにこの情報を使用することができる。
【００４１】
図２又は図３と関連して記載されているセルの後のバージョンと見なすことができる図４を参照する。上述した実施例の議論に引き続き、セルのトラフィックが長期間にわたって上がり続けると仮定すると、セル・サイトで付加的なハードウェアリソースの追加を要求することになる。そして、時間とともに、付加的な１０個の送受信機ＴＲＸ１３−２２が追加された。しかし、利用可能な周波数は１０個だけである。上述したものと同様の原理に従い低速ＣＨＡＴ構成が実行され、今や、階層１３のＴＲＸ１−１０、階層１４のＴＲＸ１１−２０、及び、セル内の追加的なＯＬサブ・セル１９として第３階層１８のＴＲＸ２１−２２が存在する。階層１３のチャネルは周波数ｆ１−ｆ１０に矢印１１で示すようにマッピングされる。また、階層１４のチャネルも周波数ｆ１−ｆ１０に矢印１２で示すようにマッピングされ、階層１８のチャネルも周波数ｆ１−ｆ１０に矢印２１で示すようにマッピングされる。閾値１５は同じであり、新しい閾値２０は第２階層１４に対して設定される。この閾値は、階層１４において可能な最大のトラフィック負荷の１００％付近（ただし未満）（すなわち、セル内の無線リソースの２００％付近（ただし未満））となるよう設定される。本発明の原則に従った高速チャネル割当てが、階層１４及び階層１８において発生する。階層１３のチャネルが最初に割り当てられ、そして、階層１４のチャネル、最後に階層１８のチャネルが割り当てられる。図２と関連して記載されたものと類似した方法の階層間の再割り当てが図３において利用される。
【００４２】
一般的に、より強く干渉している階層又は複数の階層はＯＬで動作している。
【００４３】
上述の原理に従うことにより、より多くのハードウェアリソースを追加し、いくつかの階層を用いて低速ＣＨＡＴ構成を実行することが可能である。ｆ個の無線リソース、Ｔ個の階層、総数がＮＴ個のハードウェアリソースユニットがある場合、最後の階層のハードウェアリソースユニットの数はＮＴ−（Ｔ−１）ｆとなる。
【００４４】
＜階層へのチャネルの割り当て＞
高速チャネル割付けアルゴリズムは、多くの異なる方法で端末を階層に割り当てることができる。そして、そのいくつかは以下で説明される。
【００４５】
１．すでに述べたように、無線リソース負荷が１００％付近（ただし未満）に達するまで、全端末は第１階層１３に割り当てられる。
【００４６】
２．閾値より上では、良好な電波的位置の端末は、次の階層１４に割り当てられる。
【００４７】
３．オーバレイ（ＯＬ）／アンダーレイ（ＵＬ）のサブ・セル構成を利用することにより、電波的位置の粒度が利用可能であり、階層の各々には１つ以上の無線サブ・セル１６、１７、１９に割り当てられる。
【００４８】
４．ステップ１−３は、より高い階層１４、１８において、Ｎ番目の階層の無線リソース閾値がＮ×１００％付近（ただし未満）になると繰り返し実行される。
【００４９】
５．より高い階層１４、１８の端末を良好な電波的位置に維持するため、サービス・セッションの間に端末移動性の結果あるいは他の理由により電波的位置が大きく変化する場合階層間の再割り当てが実行され、あるいは、呼のセットアップ時の階層の輻輳又はハンドオーバは結果として初期割り当てからより不適な階層への再割り当てが実行される。
【００５０】
６．ステップ１−５が繰り返し実行されるが、端末が良好な電波的位置に存在する場合であっても、より低い無線必要条件をもつサービスはより高い階層１４、１８に割り当てられる。
【００５１】
７．ステップ１−５が繰り返し実行されるが、端末が良好な電波的位置に存在する場合であり、及び／又は、より低い無線必要条件をもつサービスであっても、干渉抑圧能力を有する端末はより高い階層１４、１８に割り当てられる。
【００５２】
８．ステップ７と同様であるが、より弱い干渉抑圧能力を有する端末に比較し、強い干渉抑圧能力を有する端末は、より高い階層１４、１８に割り当てられる。
【００５３】
９．上述のステップ１の代替として、端末は、直接、当該端末が利用しているサービスの所与のサービス・プロファイルを対処可能な最悪の階層に割り当てられる。しかしながら、ほとんどの場合、これは、不必要に保守的だろう。
【００５４】
上述したこれらの同じ原理は、ＯＬ／ＵＬの有無にかかわらず、異なるサービス（回線交換及びパケット交換の双方）に容易に適用することが出来、また、（干渉抑圧能力に関する）異なる端末のタイプ及びサービス双方の混合に適用することができる。
【００５５】
＜システム構成＞
図５において、各々が複数の端末２４にサービスしている複数のＢＴＳ（基地送受信局）２３を制御しているＢＳＣ（基地局制御装置）２２を備えるＧＳＭシステムが示される。ＢＴＳの端末は、ＢＳＣを介して他の端末と通信可能である。理由を明確にするために、１つのＢＴＳだけが図５に示されている。ＢＳＣは、従来のハードウェア及びソフトウェアから構成される。そして、本発明によれば、利用可能なハードウェアリソースユニットの数を複数の階層に分割するためのコントローラ２５を備えている。コントローラは、ＢＴＳの低速ＣＨＡＴ構成のためのアルゴリズム２５Ａを備えている。さらに、ＢＳＣは、高速チャネル割当てのためのアルゴリズム２６Ａを含んでいるコントローラ２６を備えている。端末には、無線リソース（例えば特定のＴＲＸ２９により生成される周波数のＴＤＭＡフレーム２８の１つ以上のタイムスロット２７）が割り当てられる。割り当てられた無線リソースに関する情報は、破線３０に示されるようにＢＴＳに送信される。周波数ホッピングの場合、端末により利用される周波数は、あるＴＤＭＡフレームから次のＴＤＭフレームで変化する。階層中の異なる端末にホッピングシーケンスを配布するために、移動割当てインデックスオフセット（ＭＡＩＯ）の管理方法を用いてもよい。これは、各々の階層中で任意の同一チャネル干渉を除去する。周波数ホッピングシーケンスを決定するＭＡＩＯのようなパラメータは、ＢＳＣからＢＴＳ（３０）に送信される無線リソース割当て情報の一部である。
【００５６】
端末が発信又は着信をしようとする場合、高速チャネル割当てアルゴリズム２６Ａによって、送受信機１又は２の中の個々の送受信機２９の１つ以上のタイムスロット２７が割り当てられる。ＴＤＭＡフレーム及びそのタイムスロットは図５の下部に拡大して示してある。
【００５７】
＜発明の利点＞
ＣＨＡＴを有するセル内の同一チャネル干渉の発生が最小化される。セル内の同一チャネル干渉が発生すると、対処可能なものに影響を与える。すなわち、より低い無線必要条件をもつサービス、及び、干渉抑圧能力を有する及び／又は良好な電波的位置の端末に影響を与える。このような方法で、セル内の同一チャネル干渉（例えばアップリンクに対する遠近効果（near-far effects））により生じ得る副作用を最小化出来、ユーザ及びシステム性能が強化される。
【００５８】
また、本発明は、例えば、一部の端末だけが干渉抑圧能力を有する場合の”移行シナリオ”に容易にＣＨＡＴを配置することができる。干渉抑圧不能の端末における、セル内の同一チャネル干渉からの悪影響を最小化することができる。
【００５９】
本発明をＧＳＭシステムに関して説明したが、当業者が本発明を（例えばＯＦＤＭそしてＣＤＭＡに基づく）他のセルラー移動電話システムに直接的に適用し得ることは理解されるべきである。ＯＦＤＭシステムの無線リソースは、ＧＳＭと似た方法で複数の周波数及び複数のタイムスロットに分割されるため、また、送受信機のようなハードウェアリソースユニットも必要とされるため、ＧＳＭに関して上述した本発明の原則は、同様にＯＦＤＭシステムに直接適用することができる。さらにまた、ＷＣＤＭＡのようなＤＳ（直接シーケンス）ＣＤＭＡシステムは、無線リソースとして拡散符号、ハードウェアリソースとしてチャネル要素を備えており、それらもまた本発明を利用することが可能である。より高いチャネル階層には、ＧＳＭの周波数ホッピングシーケンスの代わりに新規のスクランブル符号が割り当てられる。
【００６０】
図２及び添付の文書に示される論理チャネル９は抽象的なものであり物理的な実体は存在しない。それらは、チャネルという用語の理解を容易にするために使用されている。チャネルは、ハードウェアリソース（例えば送受信機）によって、物理的実体を持つ。また、チャネルは、無線リソース（例えば周波数）によっても物理的実体を持ち得る。
【図面の簡単な説明】
【００６１】
【図１】従来技術に係るＣＨＡＴシステムの概念図である。
【図２】本発明に係るＣＨＡＴシステムを示す概念図である。
【図３】オーバーレイ／アンダーレイ・セルの構成を示す図２に類似した図である。
【図４】本発明に係る３階層を使用するＣＨＡＴシステムを示す概念図である。
【図５】チャネル割当システムを使用しているＧＳＭシステムの簡略ブロック図である。
【図１】
2008539650.tif 000003
【図２】
2008539650.tif 000004
【図３】
2008539650.tif 000005
【図４】
2008539650.tif 000006
【図５】
2008539650.tif 000007
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
チャネル割当階層化（ＣＨＡＴ）方式を使用してセルラ移動通信システムのセル内の端末にチャネルを割り当てる方法であって、
利用可能なハードウェアリソースユニット（１、２）の数（ＮＴ）は、無線リソース（３）の数（ｆ）より多く、前記利用可能なハードウェアリソースユニットは、第１階層（１３）と該第１階層より上の少なくとも１つの第２階層（１４、１８）とを含む２つ以上の階層（１３、１４、１８）に分割され、前記第２階層のハードウェアリソースユニットは、前記第１階層のハードウェアリソースユニットのいくつかあるいは全部と無線リソースを共有しており、
端末のいくつかは干渉抑圧能力を有し、
前記方法は、
端末の干渉抑制力の有無、利用しているサービスの無線必要条件、端末の電波的位置の少なくとも１つに基づいて、前記階層（１３、１４、１８）のチャネルを個々の端末に割り当てることを特徴とする方法。
【請求項２】
ハードウェアリソースユニットの数が無線リソースの数（ｆ）と同じになるように、前記第１階層のハードウェアリソースユニットのセットを無線リソースのセットにマッピングすることを特徴とする請求項１に記載の方法。
【請求項３】
ｆを無線リソースの数としたとき、最後の階層（１８）以外のより高い階層（１４）の各々のハードウェアリソースユニットの数はｆであり、
ＮＴをハードウェアリソースユニットの総数とし、Ｔを階層の数としたとき、最後の階層のハードウェアリソースユニットの数はＮＴ−（Ｔ−１）ｆであることを特徴とする請求項２に記載の方法。
【請求項４】
無線リソース負荷が、１００％未満であるが１００％に近い値の閾値（１５）に到達するまで、第１階層（１３）のチャネルを端末に割り当てる第１割当ステップを含むことを特徴とする請求項３に記載の方法。
【請求項５】
無線リソース負荷が閾値（１５、２０）を超えた場合、良好な電波的位置の端末を少なくとも前記第２階層（１４、１８）のチャネルに割り当てる第２割当ステップを含むことを特徴とする請求項４に記載の方法。
【請求項６】
各々の階層にオーバーレイ／アンダーレイのサブ・セル（１６、１７、１９）構成の１以上のサブ・セルを割り当てる第３割当ステップを含むことを特徴とする請求項５に記載の方法。
【請求項７】
階層（Ｎ）の無線リソース負荷閾値がＮ×１００％付近（ただし未満）の場合、少なくとも前記第２階層（１４、１８）に対し、前記第１、第２及び第３割当ステップを繰り返すことを特徴とする請求項６に記載の方法。
【請求項８】
高い階層に割り当てられている端末を良好な電波的位置に保持するため、端末（２４）移動性の結果、又は、他の理由により無線状況が変化した場合、階層間の端末に再割り当てすることを特徴とする請求項１乃至７の何れか一項に記載の方法。
【請求項９】
無線リソース負荷が閾値の下から閾値の上に変化した場合、階層間の端末に再割り当てすることを特徴とする請求項１乃至８の何れか一項に記載の方法。
【請求項１０】
呼のセットアップと関連して、又は、ハンドオーバと関連して、前記再割り当てを実行することを特徴とする請求項９に記載の方法。
【請求項１１】
請求項４乃至１０の何れか一項に記載のステップを繰り返すが、より低い無線必要条件のサービスを利用している端末（２４）を、良好な電波的位置に存在する端末の替わり／あるいは一緒に、前記第２階層に割り当てることを特徴とする請求項３乃至６の何れか一項に記載の方法。
【請求項１２】
良好な電波的位置は、在圏の基地局との電波的若しくは地理的距離、セル境界との電波的若しくは地理的距離、周囲の干渉者との電波的若しくは地理的距離、搬送波対干渉比（Ｃ／Ｉ）若しくはビット誤り率（ＢＥＲ）、ブロック誤り率（ＢＬＥＲ）及びフレーム消去率（ＦＥＲ）あるいは他のリンク品質測定値、あるいはそれらの組み合わせにより定義されることを特徴とする請求項１又は８に記載の方法。
【請求項１３】
請求項４乃至１０の何れか一項に記載の方法のステップを繰り返す一方で、干渉抑圧能力を有する端末を、良好な電波的位置の端末及び／又はより低い無線必要条件のサービスの替わり／あるいは一緒に、より高い階層（１４、１８）に割り当てることを特徴とする請求項３乃至６の何れか一項に記載の方法。
【請求項１４】
高い干渉抑圧能力を有する端末（２４）を、該端末より低い干渉抑圧能力を有する端末より高い階層に割り当てることを特徴とする請求項１３に記載の方法。
【請求項１５】
他の全階層が高負荷であると見なし、端末を、所与のサービス品質要件に該端末が対応可能な最悪の階層に直接割り当てることを特徴とする請求項１に記載の方法。
【請求項１６】
セルラ移動通信システムのセル内の端末にチャネルを割り当てるシステムであって、端末（２４）のいくつかは干渉抑圧能力を有し、
・該割り当てシステムは、チャネル割当階層化（ＣＨＡＴ）方式を使用しており、利用可能なハードウェアリソースユニット（１、２）の数（ＮＴ）は無線リソース（３）の数（ｆ）を上回り、
・該割り当てシステムは、
・利用可能なハードウェアリソースユニットの数を第１階層（１３）及び該第１階層より高い第２階層（１４、１８）を含む少なくとも２つの階層（１３、１４、１８）に分割するコントローラ（２５）と、
・前記少なくとも第２階層のハードウェアリソースユニットが前記第１階層のハードウェアリソースユニットの少なくとも１つと無線リソースを共有するように階層を複数の無線リソースにマッピングするアルゴリズム（２５Ａ）と、
を備え、
・端末の干渉抑圧能力の有無、対応する端末が利用しているサービスの無線必要条件、端末の電波的位置の少なくとも１つに基づいて前記階層のチャネルを端末に割り当てるアルゴリズム（２６Ａ）を備えることを特徴とするシステム。
【請求項１７】
コントローラ（２５）は、対応する階層（１３、１４）の無線リソース使用率に関する閾値（１５、２０）を設定するのに適合しており、前記閾値は１００％付近（ただし未満）であることを特徴とする請求項１６に記載のシステム。
【請求項１８】
ｆを無線リソースの数としたとき、最後の階層以外の前記より高い階層の各々のハードウェアリソースユニットの数はｆであり、
ＮＴをハードウェアリソースユニットの総数、Ｔを階層の数、ｆを無線リソースの数としたとき、最後の階層のハードウェアリソースユニットの数はＮＴ−（Ｔ−１）ｆであることを特徴とする請求項１６に記載のシステム。
【国際調査報告】
2008539650.tif 000008
2008539650.tif 000009